【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
狭帯域通信デバイスにおけるワイヤレス通信のための方法であって、
測位基準信号（ＰＲＳ）リソースを識別することと、
狭帯域送信帯域幅内の前記ＰＲＳリソースにおいて、複数のダウンリンクサブフレーム間の少なくとも１つのダウンリンクサブフレームにおける１つまたは複数のＰＲＳ送信を受信することと、
を備え、前記狭帯域送信帯域幅内の前記ＰＲＳリソースは、前記狭帯域送信帯域幅のシングルリソースブロック（ＲＢ）内のリソースと、前記シングルＲＢの第１乃至第３のシンボルの各々内のＰＲＳリソースを備える前記シングルＲＢ内の前記ＰＲＳリソースとを備える、方法。
【請求項２】
前記１つまたは複数のＰＲＳ送信のＰＲＳ帯域幅は、前記狭帯域送信帯域幅とは異なり、ここにおいて、前記識別することは、
前記狭帯域送信帯域幅内の前記ＰＲＳリソースのＲＢインデックスとは異なる前記ＰＲＳ帯域幅内のＲＢインデックスを識別することと、
前記ＰＲＳ帯域幅内の前記ＲＢインデックスに少なくとも部分的に基づいてＰＲＳシーケンスを決定することと、
を備える、請求項１に記載の方法。
【請求項３】
前記受信することは、
前記少なくとも１つのダウンリンクサブフレームにおける複数の狭帯域送信帯域幅において複数のリソースブロック（ＲＢ）を受信することと、
前記１つまたは複数のＰＲＳ送信に関連付けされた１つまたは複数の測位パラメータを決定するために前記複数のＲＢを順次処理することと、
を備える、請求項１に記載の方法。
【請求項４】
前記１つまたは複数の測位パラメータは、２つ以上の送信機のＰＲＳ送信間の基準信号時間差（ＲＳＴＤ）測定のうちの１つまたは複数、前記ＰＲＳ送信のうちの１つまたは複数の基準信号強度インジケータ（ＲＳＳＩ）、または２つ以上の送信機のＰＲＳ送信間の到着の観測時間差（ＯＴＤＡ）、
を含む、請求項３に記載の方法。
【請求項５】
前記識別することは、
少なくとも１つのダウンリンクサブフレーム、サブフレームのタイプに少なくとも部分的に基づいて前記１つまたは複数のＰＲＳ送信のサイクリックプレフィクス長を識別すること
をさらに備える、請求項１に記載の方法。
【請求項６】
前記ＰＲＳリソースは、
前記ＰＲＳ送信の１つまたは複数の送信機の広帯域システム帯域幅の外にあるスタンドアロン狭帯域送信帯域幅におけるワイヤレス送信リソース、または、
前記ＰＲＳ送信の１つまたは複数の送信機の前記広帯域システム帯域幅に隣接するガードバンド帯域幅におけるワイヤレス送信リソース、
を備える、請求項１に記載の方法。
【請求項７】
１つまたは複数のＰＲＳ送信を前記受信することは、
第２の基地局からのＰＲＳ送信を有する第２のＲＢと第１の基地局からのＰＲＳ送信を有する第１のＲＢとを受信することを備え、前記第１の基地局と前記第２の基地局とは、前記第１の基地局と前記第２の基地局との間のインターフェースを減じるために異なるＲＢにおいて関連付けされた前記ＰＲＳを送信する、請求項１に記載の方法。
【請求項８】
前記狭帯域通信デバイスにおいて、１つまたは複数のダウンリンクチャネルのための前記狭帯域送信帯域幅内のワイヤレス送信リソースを識別することと、
１つまたは複数の送信機から１つまたは複数のダウンリンク信号を、前記１つまたは複数のダウンリンクチャネルにおいて、受信することと、
１つまたは複数のＰＲＳベースの測位パラメータに加えて、１つまたは複数の測位パラメータを決定するために前記１つまたは複数のダウンリンク信号を処理することと、
をさらに備える、請求項１に記載の方法。
【請求項９】
前記１つまたは複数のＰＲＳ送信に関連付けされた第１の測定を決定することと、
１つまたは複数の他のダウンリンク信号に関連付けされた第２の測定を決定することと、
前記第１の測定と前記第２の測定とに少なくとも部分的に基づいて前記狭帯域通信デバイスの位置を推定することと、
をさらに備える、請求項８に記載の方法。
【請求項１０】
基地局におけるワイヤレス通信のための方法であって、
広帯域または狭帯域送信帯域幅内の測位基準信号（ＰＲＳ）リソースを識別することと、
前記識別されたＰＲＳリソースに少なくとも部分的に基づいてＰＲＳを生成することと、
前記狭帯域送信帯域幅内の前記ＰＲＳリソースにおいて、複数のダウンリンクサブフレーム間の少なくとも１つのダウンリンクサブフレームにおける前記ＰＲＳを送信することと、
を備え、前記狭帯域送信帯域幅内の前記ＰＲＳリソースは、前記狭帯域送信帯域幅のシングルリソースブロック（ＲＢ）内のリソースと、前記シングルＲＢの第１乃至第３のシンボルの各々内のＰＲＳリソースを備える前記シングルＲＢ内の前記ＰＲＳリソースとを備える、方法。
【請求項１１】
前記シングルＲＢの前記送信の間に１つまたは複数の他の基地局の送信を弱めるために、前記１つまたは複数の他の基地局に合わせることをさらに備える、請求項１０に記載の方法。
【請求項１２】
ユーザ機器から前記ＰＲＳに関連付けされた第１の測定を受信することと、
前記ユーザ機器において受信された１つまたは複数の他のダウンリンクチャネル信号に関連付けされた第２の測定を受信することと、
前記第１の測定と前記第２の測定とに少なくとも部分的に基づいて前記ユーザ機器の位置を推定することと、
をさらに備える、請求項１０に記載の方法。
【請求項１３】
狭帯域通信デバイスにおけるワイヤレス通信のための装置であって、
前記狭帯域通信デバイスにおいて、測位基準信号（ＰＲＳ）リソースを識別するための手段と、
狭帯域送信帯域幅内の前記ＰＲＳリソースにおいて、複数のダウンリンクサブフレーム間の少なくとも１つのダウンリンクサブフレームにおける１つまたは複数のＰＲＳ送信を受信するための手段と、
を備え、前記狭帯域送信帯域幅内の前記ＰＲＳリソースは、前記狭帯域送信帯域幅のシングルリソースブロック（ＲＢ）内のリソースと、前記シングルＲＢの第１乃至第３のシンボルの各々内のＰＲＳリソースを備える前記シングルＲＢ内の前記ＰＲＳリソースとを備える、装置。
【請求項１４】
基地局におけるワイヤレス通信のための装置であって、
広帯域または狭帯域送信帯域幅内の測位基準信号（ＰＲＳ）リソースを識別するための手段と、
前記識別されたＰＲＳリソースに少なくとも部分的に基づいてＰＲＳを生成するための手段と、
前記狭帯域送信帯域幅内の前記ＰＲＳリソースにおいて、複数のダウンリンクサブフレーム間の少なくとも１つのダウンリンクサブフレームにおける前記ＰＲＳを送信するための手段と、
を備え、前記狭帯域送信帯域幅内の前記ＰＲＳリソースは、前記狭帯域送信帯域幅のシングルリソースブロック（ＲＢ）内のリソースと、前記シングルＲＢの第１乃至第３のシンボルの各々内のＰＲＳリソースを備える前記シングルＲＢ内の前記ＰＲＳリソースとを備える、装置。
【請求項１５】
ワイヤレス通信のためのコードを記憶する非一時的コンピュータ可読媒体であって、前記コードは、請求項１乃至１２のいずれかに記載の方法を行うように実行可能である命令を備える、非一時的コンピュータ可読媒体。
【手続補正２】
【補正対象書類名】明細書
【補正対象項目名】０２１３
【補正方法】変更
【補正の内容】
【０２１３】
[0224]  ここでの開示に関連して説明されたさまざまな例示的なブロックおよびモジュールは、汎用プロセッサ、デジタルシグナルプロセッサ（ＤＳＰ）、ＡＳＩＣ、フィールドプログラマブルゲートアレイ（ＦＰＧＡ）または他のプログラマブル論理デバイス、個別ゲートまたはトランジスタロジック、個別ハードウェア構成要素、またはここで説明された機能を実行するように設計されたこれらの任意の組み合わせを用いてインプリメントまたは実施され得る。汎用プロセッサはマイクロプロセッサであり得るが、代替として、プロセッサは任意の従来のプロセッサ、コントローラ、マイクロコントローラ、またはステートマシンであり得る。プロセッサはさらにまたは代替として、（例えば、ＤＳＰとマイクロプロセッサの組み合わせ、複数のマイクロプロセッサ、ＤＳＰコアに連結した１つまたは複数のマイクロプロセッサ、または他の任意のそのような構成といった、）コンピューティングデバイスの組み合わせとしてインプリメントされ得る。かくして、本書に説明される機能は、少なくとも１つの集積回路（ＩＣ）上で、１つまたは複数の他の処理ユニット（またはコア）によって実施され得る。さまざまな例では、異なるタイプのＩＣ（例えば、ストラクチャード／プラットフォームＡＳＩＣ、ＦＰＧＡ、または別のセミカスタムＩＣ）が使用され得、それらは、当該技術において知られている任意の方式でプログラムされ得る。各ユニットの機能はさらに、または代替として、１つまたは複数の汎用または特定用途向けのプロセッサによって実行されるようにフォーマット化された、メモリにおいて具現化される命令で、全体的にまたは部分的にインプリメントされ得る。
以下に本願の出願当初の特許請求の範囲に記載された発明を付記する。
［Ｃ１］
ワイヤレス通信のための方法であって、
狭帯域通信デバイスにおいて、測位基準信号（ＰＲＳ）リソースを識別することと、
狭帯域送信帯域幅内のＰＲＳリソースにおいて、複数のダウンリンクサブフレーム間の少なくとも１つのダウンリンクサブフレームにおける１つまたは複数のＰＲＳ送信を受信することと、を備える方法。
［Ｃ２］
前記１つまたは複数のＰＲＳ送信のＰＲＳ帯域幅は、前記狭帯域送信帯域幅とは異なり、ここにおいて、前記識別することは、
前記狭帯域送信帯域幅内の前記ＰＲＳリソースのリソースブロック（ＲＢ）インデックスとは異なる前記ＰＲＳ帯域幅内のＲＢインデックスを識別することと、
前記ＰＲＳ帯域幅内の前記ＲＢインデックスに少なくとも部分的に基づいてＰＲＳシーケンスを決定することと、を備える、Ｃ１に記載の方法。
［Ｃ３］
前記ＰＲＳ帯域幅は、前記１つまたは複数のＰＲＳ送信を送信する送信機の広帯域システム帯域幅より小さいかそれと同等であり、前記狭帯域送信帯域幅より大きい、Ｃ２に記載の方法。
［Ｃ４］
前記受信することは、
前記複数のダウンリンクサブフレームにおいて受信される他の信号のサンプリングより高いサンプリングレートで前記ＰＲＳリソースにおいて受信される信号をサンプリングすることを備える、Ｃ１に記載の方法。
［Ｃ５］
前記受信することは、
前記少なくとも１つのダウンリンクサブフレームにおける複数の狭帯域送信帯域幅において複数のリソースブロック（ＲＢ）を受信することと、
前記１つまたは複数のＰＲＳ送信に関連付けされた１つまたは複数の測位パラメータを決定するために前記複数のＲＢを順次処理することと、を備える、Ｃ１に記載の方法。
［Ｃ６］
前記１つまたは複数の測位パラメータは、２つ以上の送信機のＰＲＳ送信間の基準信号時間差（ＲＳＴＤ）測定のうちの１つまたは複数、前記ＰＲＳ送信のうちの１つまたは複数の基準信号強度インジケータ（ＲＳＳＩ）、または２つ以上の送信機のＰＲＳ送信間の到着の観測時間差（ＯＴＤＡ）、を含む、Ｃ５に記載の方法。
［Ｃ７］
前記識別することは、
少なくとも１つのダウンリンクサブフレーム、サブフレームのタイプに少なくとも部分的に基づいて前記１つまたは複数のＰＲＳ送信のサイクリックプレフィクス（ＣＰ）長を識別することをさらに備える、Ｃ１に記載の方法。
［Ｃ８］
前記ＣＰ長は、サブフレームの前記タイプがマルチメディアブロードキャストシングル周波数ネットワーク（ＭＢＳＦＮ）サブフレームである場合に、拡張ＣＰ長として識別される、Ｃ７に記載の方法。
［Ｃ９］
前記狭帯域送信帯域幅内の前記ＰＲＳリソースは、前記狭帯域送信帯域幅のシングルリソースブロック（ＲＢ）内のリソースを備える、Ｃ１に記載の方法。
［Ｃ１０］
前記ＰＲＳリソースは、
前記ＰＲＳ送信の１つまたは複数の送信機の広帯域システム帯域幅の外にあるスタンドアロン狭帯域送信帯域幅におけるワイヤレス送信リソース、または、
前記ＰＲＳ送信の１つまたは複数の送信機の前記広帯域システム帯域幅に隣接するガードバンド帯域幅におけるワイヤレス送信リソース、を備える、Ｃ９に記載の方法。
［Ｃ１１］
前記狭帯域送信帯域幅の前記シングルＲＢは、複数の送信機からのＰＲＳ送信またはセル固有の基準信号（ＣＲＳ）のうちの１つまたは複数を含まない、Ｃ９に記載の方法。
［Ｃ１２］
１つまたは複数のＰＲＳ送信を前記受信することは、
第２の基地局からのＰＲＳ送信を有する第２のＲＢと第１の基地局からのＰＲＳ送信を有する第１のＲＢとを受信することを備え、前記第１の基地局と前記第２の基地局とは、前記第１の基地局と前記第２の基地局との間のインターフェースを減じるために異なるＲＢにおいて関連付けされた前記ＰＲＳを送信する、Ｃ９に記載の方法。
［Ｃ１３］
前記狭帯域送信帯域幅内のＰＲＳ送信の周期性は、広帯域ＰＲＳ送信周期性に対して減じられる、Ｃ９に記載の方法。
［Ｃ１４］
ＰＲＳ送信を有する連続したダウンリンクサブフレームの数は、広帯域ＰＲＳ送信に対して増加される、Ｃ１に記載の方法。
［Ｃ１５］
前記シングルＲＢを送信する送信機以外の１つまたは複数の送信機は、前記シングルＲＢの前記送信の間の送信を弱める、Ｃ９に記載の方法。
［Ｃ１６］
前記シングルＲＢ内の前記ＰＲＳリソースは、前記シングルＲＢの第１乃至第３のシンボルのうちの１つまたは複数内のＰＲＳリソースを備える、Ｃ１０に記載の方法。
［Ｃ１７］
前記識別することは、
前記複数のダウンリンクサブフレームの第１のダウンリンクサブフレームにおける第１のＰＲＳ帯域幅を、前記ＰＲＳ送信を送信する１つまたは複数の送信機の広帯域システム帯域幅内にあるとして、識別することと、
前記複数のダウンリンクサブフレームの第２のダウンリンクサブフレームにおける第２のＰＲＳ帯域幅を、前記広帯域システム帯域幅のサブセット内にあるとして、識別することと、を備える、Ｃ１に記載の方法。
［Ｃ１８］
前記識別することは、
前記複数のダウンリンクサブフレームの第１のダウンリンクサブフレームにおける第１のＰＲＳ帯域幅を、前記ＰＲＳ送信を送信する１つまたは複数の送信機の広帯域システム帯域幅の第１のサブセット内にあるとして、識別することと、
前記複数のダウンリンクサブフレームの前記第１のダウンリンクサブフレームにおける第２のＰＲＳ帯域幅を、前記広帯域システム帯域幅の第２のサブセット内にあるとして、識別することと、を備える、Ｃ１に記載の方法。
［Ｃ１９］
前記狭帯域通信デバイスにおいて、１つまたは複数のダウンリンクチャネルのための前記狭帯域送信帯域幅内のワイヤレス送信リソースを識別することと、
１つまたは複数の送信機から１つまたは複数のダウンリンク信号を、前記１つまたは複数のダウンリンクチャネルにおいて、受信することと、
１つまたは複数のＰＲＳベースの測位パラメータに加えて、１つまたは複数の測位パラメータを決定するために前記１つまたは複数のダウンリンク信号を処理することと、をさらに備える、Ｃ１に記載の方法。
［Ｃ２０］
前記１つまたは複数のダウンリンク信号は、プライマリ同期信号（ＰＳＳ）、セカンダリ同期信号（ＳＳＳ）、物理ブロードキャストチャネル（ＰＢＣＨ）信号、または、システム情報ブロック（ＳＩＢ）信号のうちの１つまたは複数を備える、Ｃ１９に記載の方法。
［Ｃ２１］
前記処理することは、
電力遅延プロファイル（ＰＤＰ）を決定するために１つまたは複数のＰＲＳ送信との前記１つまたは複数のダウンリンク信号の非コヒーレント結合を備える、Ｃ１９に記載の方法。
［Ｃ２２］
前記処理することは、
前記１つまたは複数のダウンリンク信号に関連付けされた測定に少なくとも部分的に基づく、２つ以上のＰＲＳベースの測位パラメータの加重結合を備える、Ｃ１９に記載の方法。
［Ｃ２３］
前記１つまたは複数のＰＲＳ送信に関連付けされた第１の測定を決定することと、
１つまたは複数の他のダウンリンク信号に関連付けされた第２の測定を決定することと、
前記第１の測定と前記第２の測定とに少なくとも部分的に基づいて前記狭帯域通信デバイスの位置を推定することと、をさらに備える、Ｃ１９に記載の方法。
［Ｃ２４］
ワイヤレス通信のための方法であって：
広帯域または狭帯域送信帯域幅内の測位基準信号（ＰＲＳ）リソースを識別することと、
前記識別されたＰＲＳリソースに少なくとも部分的に基づいてＰＲＳを生成することと、
前記狭帯域送信帯域幅内の前記ＰＲＳリソースにおいて、複数のダウンリンクサブフレーム間の少なくとも１つのダウンリンクサブフレームにおける前記ＰＲＳを送信することと、を備える方法。
［Ｃ２５］
前記狭帯域送信帯域幅は、広帯域送信帯域幅のサブセットである、Ｃ２４に記載の方法。
［Ｃ２６］
前記狭帯域送信帯域幅内の前記ＰＲＳリソースは、前記狭帯域送信帯域幅のシングルリソースブロック（ＲＢ）内のリソースを備える、Ｃ２４に記載の方法。
［Ｃ２７］
前記ＰＲＳリソースは、
広帯域システム帯域幅の外にあるスタンドアロン狭帯域送信帯域幅におけるワイヤレス送信リソース、または、
前記広帯域システム帯域幅に隣接するガードバンド帯域幅におけるワイヤレス送信リソース、を備える、Ｃ２６に記載の方法。
［Ｃ２８］
前記狭帯域送信帯域幅の前記シングルＲＢは、セル固有の基準信号（ＣＲＳ）を含まない、Ｃ２６に記載の方法。
［Ｃ２９］
前記シングルＲＢの前記送信の間に１つまたは複数の他の基地局の送信を弱めるために、前記１つまたは複数の他の基地局に合わせることをさらに備える、Ｃ２６に記載の方法。
［Ｃ３０］
ＰＲＳ送信を有する複数の連続したダウンリンクサブフレームは、広帯域ＰＲＳ送信に対して増加される、Ｃ２４に記載の方法。
［Ｃ３１］
前記シングルＲＢ内の前記ＰＲＳリソースは、前記シングルＲＢの第１乃至第３のシンボルのうちの１つまたは複数内のＰＲＳリソースを備える、Ｃ２７に記載の方法。
［Ｃ３２］
前記狭帯域送信帯域幅内のＰＲＳ送信の周期性は、広帯域ＰＲＳ送信周期性に対して減じられる、Ｃ２６に記載の方法。
［Ｃ３３］
ユーザ機器から前記ＰＲＳに関連付けされた第１の測定を受信することと、
前記ユーザ機器において受信された１つまたは複数の他のダウンリンクチャネル信号に関連付けされた第２の測定を受信することと、
前記第１の測定と前記第２の測定とに少なくとも部分的に基づいて前記ユーザ機器の位置を推定することと、をさらに備える、Ｃ２４に記載の方法。
［Ｃ３４］
前記１つまたは複数の他のダウンリンクチャネル信号は、プライマリ同期信号（ＰＳＳ）、セカンダリ同期信号（ＳＳＳ）、物理ブロードキャストチャネル（ＰＢＣＨ）信号、または、システム情報ブロック（ＳＩＢ）信号のうちの１つまたは複数を備える、Ｃ３３に記載の方法。
［Ｃ３５］
前記第２の測定は、前記ＰＲＳ送信との前記１つまたは複数の他のダウンリンクチャネル信号の非コヒーレント結合に少なくとも部分的に基づくパワー遅延プロファイル（ＰＤＰ）を備える、Ｃ３３に記載の方法。
［Ｃ３６］
ワイヤレス通信のための方法であって：
測位基準信号（ＰＲＳ）受信のためのダウンリンクサブフレームの複数のシンボルを識別することと、
トーンホッピング値および各シンボルのシンボルロケーションに少なくとも部分的に基づいて前記複数のシンボルの２つ以上のシンボル内のＰＲＳトーンとして構成されるシングルトーンを識別することと、
１つまたは複数のＰＲＳ送信を、前記識別されたＰＲＳトーンにおいて、受信することと、を備える、方法。
［Ｃ３７］
前記２つ以上のシンボル内の前記シングルトーンを前記識別することは、
第１のシンボルのための第１のトーンホッピング値を識別することと、
前記第１のシンボルの第１のＰＲＳトーンロケーションおよび前記第１のトーンホッピング値に少なくとも部分的に基づいて第２のシンボルのための第２のＰＲＳトーンロケーションを識別することと、
前記第２のシンボルのための第２のトーンホッピング値を識別することと、
前記第２のＰＲＳトーンロケーションおよび前記第２のトーンホッピング値に少なくとも部分的に基づいて第３のシンボルのための第３のＰＲＳトーンロケーションを識別することと、を備える、Ｃ３６に記載の方法。
［Ｃ３８］
前記トーンホッピング値は、ＰＲＳトーンとして構成された連続したシンボル内の異なるトーンを識別する、Ｃ３６に記載の方法。
［Ｃ３９］
ワイヤレス通信のための方法であって：
測位基準信号（ＰＲＳ）送信のためのダウンリンクサブフレームの複数のシンボルを構成することと、
トーンホッピング値および各シンボルのシンボルロケーションに少なくとも部分的に基づいて各シンボル内のＰＲＳトーンとしてシングルトーンを、前記複数のシンボル内で、構成することと、
前記複数のシンボルの前記構成されたトーンにおいて前記ＰＲＳを送信することと、を備える、方法。
［Ｃ４０］
各シンボル内の前記シングルトーンを前記構成することは、
第１のシンボルのための第１のトーンホッピング値を構成することと、
前記第１のシンボルの第１のＰＲＳトーンロケーションおよび前記第１のトーンホッピング値に少なくとも部分的に基づいて第２のシンボルのための第２のＰＲＳトーンロケーションを構成することと、
前記第２のシンボルのための第２のトーンホッピング値を構成することと、
前記第２のＰＲＳトーンロケーションおよび前記第２のトーンホッピング値に少なくとも部分的に基づいて第３のシンボルのための第３のＰＲＳトーンロケーションを構成することと、を備える、Ｃ３９に記載の方法。
［Ｃ４１］
前記トーンホッピング値は、ＰＲＳトーンとして構成された連続したシンボル内の異なるトーンを識別する、Ｃ３９に記載の方法。
［Ｃ４２］
ワイヤレス通信のための方法であって：
第１の基地局から１つまたは複数のダウンリンク送信を、ユーザ機器において、受信することと、
前記第１の基地局のための第１のダウンリンクタイミングを決定することと、
前記第１のダウンリンクタイミングにアラインされ第１のサイクリックプレフィクス（ＣＰ）持続時間を有する第１のＣＰを含む第１のアップリンク送信を送信することと、を備える、方法。
［Ｃ４３］
前記第１の基地局からタイミング調整を受信することと、
前記第１の基地局に第２のアップリンク送信を送信することと、をさらに備え、前記第２のアップリンク送信は、前記タイミング調整に少なくとも部分的に基づき、前記第１のＣＰ持続時間より少ない第２のＣＰ持続時間を有する第２のＣＰを含む、Ｃ４２に記載の方法。
［Ｃ４４］
前記第１のアップリンク送信は、物理ランダムアクセスチャネル（ＰＲＡＣＨ）と同様のフレーム構造を使用する、Ｃ４２に記載の方法。
［Ｃ４５］
前記第１のアップリンク送信は、物理アップリンク共有チャネル（ＰＵＳＣＨ）と同様のフレーム構造を使用する、Ｃ４２に記載の方法。
［Ｃ４６］
前記第１のアップリンク送信のためのリソースは、前記第１の基地局によってスケジューリングされる、Ｃ４２に記載の方法。
［Ｃ４７］
前記第１のアップリンク送信のためのリソースは、前記ユーザ機器によってランダムに選択される、Ｃ４２に記載の方法。
［Ｃ４８］
前記第１のアップリンク送信のための前記リソースは、時間および周波数リソースを含む、Ｃ４６に記載の方法。
［Ｃ４９］
前記第１のアップリンク送信のための前記リソースは、１つまたは複数の他の基地局において既知である、Ｃ４６に記載の方法。
［Ｃ５０］
１つまたは複数の基地局は、前記ユーザ機器から前記第１のアップリンク送信を受信する、Ｃ４２に記載の方法。
［Ｃ５１］
前記ユーザ機器の位置は、前記ユーザ機器からの前記第１のアップリンク送信の受信に少なくとも部分的に基づいて推定される、Ｃ４２に記載の方法。
［Ｃ５２］
ワイヤレス通信のための方法であって：
ユーザ機器から第１のアップリンク送信を、第１の基地局において、受信することと、前記第１のアップリンク送信は、前記ユーザ機器のダウンリンクタイミングにアラインされ、第１のサイクリックプレフィクス（ＣＰ）持続時間を有する第１のＣＰを含む、
前記ユーザ機器による第２のアップリンク送信のためのタイミング調整を、前記ユーザ機器に送信することと、
前記ユーザ機器から前記第２のアップリンク送信を受信することと、前記第２のアップリンク送信は、前記タイミング調整に少なくとも部分的に基づき、前記第１のＣＰ持続時間より少ない第２のＣＰ持続時間を有する第２のＣＰを含む、
前記第２のアップリンク送信の受信の時間に少なくとも部分的に基づいて、前記ユーザ機器での送信に関わるラウンドトリップ遅延（ＲＴＤ）を決定することと、を備える、方法。
［Ｃ５３］
２つ以上の他の基地局から前記ユーザ機器に関連付けされた複数のＲＴＤを、前記第１の基地局において、受信することと、
前記２つ以上の他の基地局の既知の位置および前記複数のＲＴＤに少なくとも部分的に基づいて前記ユーザ機器の位置を決定することと、をさらに備える、Ｃ５２に記載の方法。
［Ｃ５４］
前記ユーザ機器から１つまたは複数の測位基準信号（ＰＲＳ）ベースの測定を受信することをさらに備え、
ここにおいて、前記ユーザ機器の前記位置を前記決定することはさらに、前記ＰＲＳベースの測定に少なくとも部分的に基づく、Ｃ５３に記載の方法。
［Ｃ５５］
ワイヤレス通信のための装置であって、
狭帯域通信デバイスにおいて、測位基準信号（ＰＲＳ）リソースを識別するための手段と、
狭帯域送信帯域幅内のＰＲＳリソースにおいて、複数のダウンリンクサブフレーム間の少なくとも１つのダウンリンクサブフレームにおける１つまたは複数のＰＲＳ送信を受信するための手段と、を備える装置。
［Ｃ５６］
ワイヤレス通信のための装置であって、
広帯域または狭帯域送信帯域幅内の測位基準信号（ＰＲＳ）リソースを識別するための手段と、
前記識別されたＰＲＳリソースに少なくとも部分的に基づいてＰＲＳを生成するための手段と、
前記狭帯域送信帯域幅内の前記ＰＲＳリソースにおいて、複数のダウンリンクサブフレーム間の少なくとも１つのダウンリンクサブフレームにおける前記ＰＲＳを送信するための手段と、を備える装置。
［Ｃ５７］
ワイヤレス通信のための装置であって、
測位基準信号（ＰＲＳ）受信のためのダウンリンクサブフレームの複数のシンボルを識別するための手段と、
トーンホッピング値および各シンボルのシンボルロケーションに少なくとも部分的に基づいて前記複数のシンボルの２つ以上のシンボル内のＰＲＳトーンとして構成されるシングルトーンを識別するための手段と、
１つまたは複数のＰＲＳ送信を、前記識別されたＰＲＳトーンにおいて、受信するための手段と、を備える、装置。
［Ｃ５８］
ワイヤレス通信のための装置であって、
測位基準信号（ＰＲＳ）送信のためのダウンリンクサブフレームの複数のシンボルを構成するための手段と、
トーンホッピング値および各シンボルのシンボルロケーションに少なくとも部分的に基づいて各シンボル内のＰＲＳトーンとしてシングルトーンを、前記複数のシンボル内で、構成するための手段と、
前記複数のシンボルの前記構成されたトーンにおいて前記ＰＲＳを送信するための手段と、を備える、装置。
［Ｃ５９］
ワイヤレス通信のための装置であって、
第１の基地局から１つまたは複数のダウンリンク送信を、ユーザ機器において、受信するための手段と、
前記第１の基地局のための第１のダウンリンクタイミングを決定するための手段と、  前記第１のダウンリンクタイミングにアラインされ第１のサイクリックプレフィクス（ＣＰ）持続時間を有する第１のＣＰを含む第１のアップリンク送信を送信するための手段と、を備える、装置。
［Ｃ６０］
ワイヤレス通信のための装置であって、
ユーザ機器から第１のアップリンク送信を、第１の基地局において、受信するための手段と、前記第１のアップリンク送信は、前記ユーザ機器のダウンリンクタイミングにアラインされ第１のサイクリックプレフィクス（ＣＰ）持続時間を有する第１のＣＰを含む、  前記ユーザ機器による第２のアップリンク送信のためのタイミング調整を、前記ユーザ機器に送信するための手段と、
前記ユーザ機器から前記第２のアップリンク送信を受信するための手段と、前記第２のアップリンク送信は、前記タイミング調整に少なくとも部分的に基づき、前記第１のＣＰ持続時間より少ない第２のＣＰ持続時間を有する第２のＣＰを含む、
前記第２のアップリンク送信の受信の時間に少なくとも部分的に基づいて、前記ユーザ機器での送信に関わるラウンドトリップ遅延（ＲＴＤ）を決定するための手段と、を備える、装置。
［Ｃ６１］
ワイヤレス通信のための装置であって、
プロセッサと、
前記プロセッサと電子通信状態にあるメモリと、
前記メモリに記憶され、前記装置に、
狭帯域通信デバイスにおいて、測位基準信号（ＰＲＳ）リソースを識別することと、
狭帯域送信帯域幅内の前記ＰＲＳリソースにおいて、複数のダウンリンクサブフレーム間の少なくとも１つのダウンリンクサブフレームにおける１つまたは複数のＰＲＳ送信を受信することと、を行わせるように前記プロセッサによって実行可能である命令と、を備える装置。
［Ｃ６２］
ワイヤレス通信のための装置であって、
プロセッサと、
前記プロセッサと電子通信状態にあるメモリと、
前記メモリに記憶され、前記装置に、
広帯域または狭帯域送信帯域幅内の測位基準信号（ＰＲＳ）リソースを識別することと、
前記識別されたＰＲＳリソースに少なくとも部分的に基づいてＰＲＳを生成することと、
前記狭帯域送信帯域幅内の前記ＰＲＳリソースにおいて、複数のダウンリンクサブフレーム間の少なくとも１つのダウンリンクサブフレームにおける前記ＰＲＳを送信することと、を行わせるように前記プロセッサによって実行可能である命令と、を備える装置。
［Ｃ６３］
ワイヤレス通信のための装置であって、
プロセッサと、
前記プロセッサと電子通信状態にあるメモリと、
前記メモリに記憶され、前記装置に、
測位基準信号（ＰＲＳ）受信のためのダウンリンクサブフレームの複数のシンボルを識別することと、
トーンホッピング値および各シンボルのシンボルロケーションに少なくとも部分的に基づいて前記複数のシンボルの２つ以上のシンボル内のＰＲＳトーンとして構成されるシングルトーンを識別することと、
１つまたは複数のＰＲＳ送信を、前記識別されたＰＲＳトーンにおいて、受信することと、を行わせるように前記プロセッサによって実行可能である命令と、を備える、装置。
［Ｃ６４］
ワイヤレス通信のための装置であって、
プロセッサと、
前記プロセッサと電子通信状態にあるメモリと、
前記メモリに記憶され、前記装置に、
測位基準信号（ＰＲＳ）送信のためのダウンリンクサブフレームの複数のシンボルを構成することと、
トーンホッピング値および各シンボルのシンボルロケーションに少なくとも部分的に基づいて各シンボル内のＰＲＳトーンとしてシングルトーンを、前記複数のシンボル内で、構成することと、
前記複数のシンボルの前記構成されたトーンにおいて前記ＰＲＳを送信することと、を行わせるように前記プロセッサによって実行可能である命令と、を備える、装置。
［Ｃ６５］
ワイヤレス通信のための装置であって、
プロセッサと、
前記プロセッサと電子通信状態にあるメモリと、
前記メモリに記憶され、前記装置に、
第１の基地局から１つまたは複数のダウン送信を、ユーザ機器において、受信することと、
前記第１の基地局のための第１のダウンリンクタイミングを決定することと、
前記第１のダウンリンクタイミングにアラインされ第１のサイクリックプレフィクス（ＣＰ）持続時間を有する第１のＣＰを含む第１のアップリンク送信を送信することと、を行わせるように前記プロセッサによって実行可能である命令と、を備える、装置。
［Ｃ６６］
ワイヤレス通信のための装置であって、
プロセッサと、
前記プロセッサと電子通信状態にあるメモリと、
前記メモリに記憶され、前記装置に、
ユーザ機器から第１のアップリンク送信を、第１の基地局において、受信することと、前記第１のアップリンク送信は、前記ユーザ機器のダウンリンクタイミングにアラインされ、第１のサイクリックプレフィクス（ＣＰ）持続時間を有する第１のＣＰを含む、
前記ユーザ機器による第２のアップリンク送信のためのタイミング調整を、前記ユーザ機器に送信することと、
前記ユーザ機器から前記第２のアップリンク送信を受信することと、前記第２のアップリンク送信は、前記タイミング調整に少なくとも部分的に基づき、前記第１のＣＰ持続時間より少ない第２のＣＰ持続時間を有する第２のＣＰを含む、
前記第２のアップリンク送信の受信の時間に少なくとも部分的に基づいて、前記ユーザ機器での送信に関わるラウンドトリップ遅延（ＲＴＤ）を決定することと、を行わせるように前記プロセッサによって実行可能である命令と、を備える、装置。
［Ｃ６７］
ワイヤレス通信のためのコードを記憶する非一時的コンピュータ可読媒体であって、前記コードは、
狭帯域通信デバイスにおいて、測位基準信号（ＰＲＳ）リソースを識別することと、
狭帯域送信帯域幅内のＰＲＳリソースにおいて、複数のダウンリンクサブフレーム間の少なくとも１つのダウンリンクサブフレームにおける１つまたは複数のＰＲＳ送信を受信することと、を実行可能である命令を備える、非一時的コンピュータ可読媒体。
［Ｃ６８］
ワイヤレス通信のためのコードを記憶する非一時的コンピュータ可読媒体であって、前記コードは、
広帯域または狭帯域送信帯域幅内の測位基準信号（ＰＲＳ）リソースを識別することと、
前記識別されたＰＲＳリソースに少なくとも部分的に基づいてＰＲＳを生成することと、
前記狭帯域送信帯域幅内の前記ＰＲＳリソースにおいて、複数のダウンリンクサブフレーム間の少なくとも１つのダウンリンクサブフレームにおける前記ＰＲＳを送信することと、を実行可能である命令を備える、非一時的コンピュータ可読媒体。
［Ｃ６９］
ワイヤレス通信のためのコードを記憶する非一時的コンピュータ可読媒体であって、前記コードは、
測位基準信号（ＰＲＳ）受信のためのダウンリンクサブフレームの複数のシンボルを識別することと、
トーンホッピング値および各シンボルのシンボルロケーションに少なくとも部分的に基づいて前記複数のシンボルの２つ以上のシンボル内のＰＲＳトーンとして構成されるシングルトーンを識別することと、
１つまたは複数のＰＲＳ送信を、前記識別されたＰＲＳトーンにおいて、受信することと、を実行可能である命令を備える、非一時的コンピュータ可読媒体。
［Ｃ７０］
ワイヤレス通信のためのコードを記憶する非一時的コンピュータ可読媒体であって、前記コードは、
測位基準信号（ＰＲＳ）送信のためのダウンリンクサブフレームの複数のシンボルを構成することと、
トーンホッピング値および各シンボルのシンボルロケーションに少なくとも部分的に基づいて各シンボル内のＰＲＳトーンとしてシングルトーンを、前記複数のシンボル内で、構成することと、
前記複数のシンボルの前記構成されたトーンにおいて前記ＰＲＳを送信することと、を実行可能である命令を備える、非一時的コンピュータ可読媒体。
［Ｃ７１］
ワイヤレス通信のためのコードを記憶する非一時的コンピュータ可読媒体であって、前記コードは、
第１の基地局から１つまたは複数のダウン送信を、ユーザ機器において、受信することと、
前記第１の基地局のための第１のダウンリンクタイミングを決定することと、
前記第１のダウンリンクタイミングにアラインされ第１のサイクリックプレフィクス（ＣＰ）持続時間を有する第１のＣＰを含む第１のアップリンク送信を送信することと、を実行可能である命令を備える、非一時的コンピュータ可読媒。
［Ｃ７２］
ワイヤレス通信のためのコードを記憶する非一時的コンピュータ可読媒体であって、前記コードは、
ユーザ機器から第１のアップリンク送信を、第１の基地局において、受信することと、前記第１のアップリンク送信は、前記ユーザ機器のダウンリンクタイミングにアラインされ、第１のサイクリックプレフィクス（ＣＰ）持続時間を有する第１のＣＰを含む、
前記ユーザ機器による第２のアップリンク送信のためのタイミング調整を、前記ユーザ機器に送信することと、
前記ユーザ機器から前記第２のアップリンク送信を受信することと、前記第２のアップリンク送信は、前記タイミング調整に少なくとも部分的に基づき、前記第１のＣＰ持続時間より少ない第２のＣＰ持続時間を有する第２のＣＰを含む、
前記第２のアップリンク送信の受信の時間に少なくとも部分的に基づいて、前記ユーザ機器での送信に関わるラウンドトリップ遅延（ＲＴＤ）を決定することと、を実行可能である命令を備える、非一時的コンピュータ可読媒体。